(57)【要約】本発明は、情報取得方法、装置及び端末に関し、移動通信技術分野に属する。前記情報取得方法は、周辺デバイスであるスマートカード内に保存された認証情報であって、サービスプロバイダーによって提供する権限検証情報が含まれた認証情報を読み取るステップと、読み取った前記認証情報を前記端末のメモリ内に保存するステップと、前記メモリ内に保存された前記認証情報に基づいて、該当するサービスを取得することにより、関連技術にて端末においてＳＩＭカードをためにＳＩＭカードデッキを予め用意しなければならないため、端末が提供する情報取得方法によって端末の機能拡張を制限され、端末の極薄化と小型化を制限されてしまう問題を解決したと同時に、関連技術中電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。【選択図】図１
2015537477.tif 000002
【特許請求の範囲】
【請求項１】
端末に適用される情報取得方法であって、
周辺デバイスであるスマートカード内に保存された認証情報であって、サービスプロバイダーによって提供する権限検証情報が含まれた認証情報を読み取るステップと、
読み取った前記認証情報を前記端末のメモリ内に保存するステップと、
前記メモリ内に保存された前記認証情報に基づいて、該当するサービスを取得するステップと
を含むことを特徴とする情報取得方法。
【請求項２】
周辺デバイスであるスマートカード内に保存された前記認証情報は、ＮＦＣタグ及び二次元コードの中の少なくとも一つを含む予め設定した保存方法によって、前記スマートカードに保存した認証情報を含む
ことを特徴とする請求項１に記載の情報取得方法。
【請求項３】
周辺デバイスであるスマートカード内に保存された認証情報を読み取る前記ステップは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するステップと、
前記予め設定した保存方法が二次元コードを含む場合、二次元コードスキャン技術によって前記スマートカード内の二次元コードを読み取ることにより、前記スマートカード内に保存した前記認証情報を取得するステップと
を含むことを特徴とする請求項２に記載の情報取得方法。
【請求項４】
前記情報取得方法は、
前記端末のメモリ内に保存された前記認証情報が二つ或いは二つ以上である場合には、前記メモリ内に保存された前記認証情報に基づいて、該当するサービスを取得するステップの前に、
前記メモリ内の指定の認証情報を選択するための選択信号を受信するステップ
をさらに含み、
前記メモリ内に保存された前記認証情報に基づいて、該当するサービスを取得するステップは、
前記選択信号に基づいて前記メモリ内に保存された指定の認証情報を読み取るステップと、
読み取った前記認証情報に基づいて該当するサービスを取得するステップと
を含むことを特徴とする請求項３に記載の情報取得方法。
【請求項５】
読み取った前記認証情報を前記端末のメモリ内に保存する前記ステップは、
読み取った前記認証情報を前記メモリ内の予め設定した領域に保存するステップと、
前記メモリ内の予め設定した領域を読み取り専用の領域に設定するステップと
を含むことを特徴とする請求項１乃至４のいずれかの１項に記載の情報取得方法。
【請求項６】
端末に適用される情報取得装置であって、
周辺デバイスであるスマートカード内に保存された認証情報であって、サービスプロバイダーによって提供する権限検証情報が含まれた認証情報を読み取るための情報読取モジュールと、
前記情報読取モジュールが読み取った前記認証情報を前記端末のメモリ内に保存するための情報保存モジュールと、
前記メモリ内に保存された前記認証情報に基づいて、該当するサービスを取得するためのサービス取得モジュールと
を備えることを特徴とする情報取得装置。
【請求項７】
周辺デバイスであるスマートカード内に保存された前記認証情報は、ＮＦＣタグ及び二次元コードの中の少なくとも一つを含む予め設定した保存方法によって、前記スマートカードに保存した認証情報を含む
ことを特徴とする請求項６に記載の情報取得装置。
【請求項８】
前記情報読取モジュールは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するための第１読取ユニット、
及び／或いは、
前記予め設定した保存方法が二次元コードを含む場合、二次元コードスキャン技術によって前記スマートカード内の二次元コードを読み取ることにより、前記スマートカード内に保存した前記認証情報を取得するための前記第２読取ユニット
を備えることを特徴とする請求項７に記載の情報取得装置。
【請求項９】
前記情報取得装置は、
前記端末のメモリ内に保存された前記認証情報が二つ或いは二つ以上である場合には、
前記メモリ内の指定の認証情報を選択するための選択信号を受信するための信号受信モジュール
をさらに備え、
前記サービス取得モジュールは、
前記信号受信モジュールが受信した前記選択信号に基づいて前記メモリ内に保存された指定の認証情報を読み取るための情報取得ユニットと、
前記情報読取ユニット読み取った前記認証情報に基づいて該当するサービスを取得するためのサービス取得ユニットと
を備えることを特徴とする請求項８に記載の情報取得装置。
【請求項１０】
前記情報保存モジュールは、
読み取った前記認証情報を前記メモリ内の予め設定した領域に保存するための情報保存ユニットと、
前記メモリ内の予め設定した領域を読み取り専用の領域に設定するための領域設定ユニットと
を備えることを特徴とする請求項６乃至９のいずれかの１項に記載の情報取得装置。
【請求項１１】
請求項５乃至１０のいずれかの１項に記載の情報取得装置を備える
ことを特徴とする端末。
【請求項１２】
ＮＦＣ技術によるチップを備えるか、及び／或いは、二次元コードが付加されており、
前記ＮＦＣチップ、及び／或いは、前記二次元コード内に、認証情報が保存されており、
前記認証情報には、サービスプロバイダーによって提供する権限検証情報が含まれる
ことを特徴とするスマートカード。 
【発明の詳細な説明】
【相互参照】
【０００１】
本願は、出願番号がＣＮ２０１３１０１３１９７６.８であって、出願日が２０１３年４月１６日である中国特許出願に基づいて優先権を主張し、当該中国特許出願のすべての内容を援用する。
【技術分野】
【０００２】
本発明は、移動通信技術分野に関し、特に、情報取得方法、装置及び端末に関する。
【背景技術】
【０００３】
携帯電話等のようなインテリジェント端末は、もはや人々の日常生活の中で必須の生活用品になった。しかしながら、ユーザが端末を用いてサービスプロバイダーが提供するサービスを取得する際に、まず、端末を利用してサービスプロバイダーが提供する認証情報を取得する必要があり、認証情報を用いて、サービスプロバイダーにより認証された後に、関連サービスを取得する。
【０００４】
ここで、サービスプロバイダーが提供する認証情報は、主に、ネットワークに登録するための権限検証情報であり、また、権限検証情報は一般的にＳＩＭカード（Ｓｕｂｓｃｒｉｂｅｒ Ｉｄｅｎｔｉｔｙ Ｍｏｄｕｌｅ、加入者識別モジュール）内に保存されている。現在、通常の認証情報取得方法は、ＳＩＭカードを用いてサービスプロバイダーが提供する認証情報を保存し、また、ＳＩＭカードのために一つのＳＩＭカードデッキを端末中に予め用意し、ユーザは、端末を用いてサービスプロバイダーが提供するサービスを取得しようとする時に、予め用意したＳＩＭカードデッキ内にＳＩＭカードを挿入して、端末によりＳＩＭカード内に保存した認証情報を読み取った後に、認証情報を用いてネットワークに登録することにより、サービスプロバイダーが提供する各サービスを取得する。
【０００５】
発明者は、本発明を実現する過程において、上記の方法には少なくとも以下の問題が存在することを発見した。
【０００６】
端末においてＳＩＭカードのためにＳＩＭカードデッキを予め用意する必要があるが、ＳＩＭカードデッキは端末回路基板中の一定の空間を占用するため、限られた回路基板空間中にもっと多い電子部品を集積することができなくなって、端末の機能拡張が制限され、また、ＳＩＭカードデッキが回路基板中の一定の空間を占用するため、限られた空間内の他の電子部品同士の間の距離がもっと小さくなって、電子部品同士の間の電磁結合度がもっと大きくなり、端末の電磁適合性が悪くなってしまう。同時に、ＳＩＭカードデッキの配置も、端末のサイズと厚さを増加させて、端末の極薄化と小型化を制限する。
【発明の概要】
【０００７】
背景技術での端末が提供する情報取得方法によって端末の機能拡張が制限され、端末の極薄化と小型化を制限されてしまう問題を解決するために、本発明の実施例は、情報取得方法、装置及び端末を提供する。上記の技術案は、以下のとおりである。
【０００８】
本発明の実施例に係る第１の態様によると、情報取得方法を提供する。
【０００９】
前記情報取得方法は、
周辺デバイスであるスマートカード内に保存された認証情報であって、サービスプロバイダーによって提供する権限検証情報が含まれた認証情報を読み取るステップと、
読み取った前記認証情報を前記端末のメモリ内に保存するステップと、
前記メモリ内に保存された前記認証情報に基づいて、該当するサービスを取得するステップと
を含む。
【００１０】
好ましくは、
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【００１１】
好ましくは、
周辺デバイスであるスマートカード内に保存された認証情報を読み取る前記ステップは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するステップと、
前記予め設定した保存方法が二次元コードを含む場合、二次元コードスキャン技術によって前記スマートカード内の二次元コードを読み取ることにより、前記スマートカード内に保存した前記認証情報を取得するステップと
を含む
【００１２】
好ましくは、
前記情報取得方法は、
前記端末のメモリ内に保存された前記認証情報が二つ或いは二つ以上である場合には、前記メモリ内に保存された前記認証情報に基づいて、該当するサービスを取得するステップの前に、
前記メモリ内の指定の認証情報を選択するための選択信号を受信するステップをさらに含み、
前記メモリ内に保存された前記認証情報に基づいて、該当するサービスを取得するステップは、
前記選択信号に基づいて前記メモリ内に保存された指定の認証情報を読み取るステップと、
読み取った前記認証情報に基づいて該当するサービスを取得するステップと
を含む。
【００１３】
好ましくは、
読み取った前記認証情報を前記端末のメモリ内に保存する前記ステップは、
読み取った前記認証情報を前記メモリ内の予め設定した領域に保存するステップと、
前記メモリ内の予め設定した領域を読み取り専用の領域に設定するステップと
を含む。
【００１４】
本発明の実施例に係る第２の態様によると、情報取得装置を提供する。
【００１５】
前記情報取得装置は、
周辺デバイスであるスマートカード内に保存された認証情報であって、サービスプロバイダーによって提供する権限検証情報が含まれた認証情報を読み取るための情報読取モジュールと、
前記情報読取モジュールが読み取った前記認証情報を前記端末のメモリ内に保存するための情報保存モジュールと、
前記メモリ内に保存された前記認証情報に基づいて、該当するサービスを取得するためのサービス取得モジュールと
を備える。
【００１６】
好ましくは、
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【００１７】
好ましくは、
前記情報読取モジュールは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するための第１読取ユニット、
及び／或いは、
前記予め設定した保存方法が二次元コードを含む場合、二次元コードスキャン技術によって前記スマートカード内の二次元コードを読み取ることにより、前記スマートカード内に保存した前記認証情報を取得するための前記第２読取ユニット
を備える。
【００１８】
好ましくは、
前記装置は、
前記端末のメモリ内に保存された前記認証情報が二つ或いは二つ以上である場合には、
前記メモリ内の指定の認証情報を選択するための選択信号を受信するための信号受信モジュール
をさらに備え、
前記サービス取得モジュールは、
前記信号受信モジュールが受信した前記選択信号に基づいて前記メモリ内に保存された指定の認証情報を読み取るための情報取得ユニットと、
前記情報読取ユニット読み取った前記認証情報に基づいて該当するサービスを取得するためのサービス取得ユニットと
を備える。
【００１９】
好ましくは、
前記情報保存モジュールは、
読み取った前記認証情報を前記メモリ内の予め設定した領域に保存するための情報保存ユニットと、
前記メモリ内の予め設定した領域を読み取り専用の領域に設定するための領域設定ユニットと
を備える。
【００２０】
本発明の実施例に係る第３の態様によると、端末を提供する。
【００２１】
前記端末は、上記の情報取得装置を備える。
【００２２】
本発明の実施例に係る第４の態様によると、スマートカードを提供する。
【００２３】
スマートカードには、前記スマートカードＮＦＣ技術によるチップを備えるか、及び／或いは、二次元コードが付加されており、前記ＮＦＣチップ、及び／或いは、前記二次元コード内に、認証情報が保存されており、前記認証情報には、サービスプロバイダーによって提供する権限検証情報が含まれる。
【００２４】
本発明の実施例が提供する構成の有益な効果は以下のとおりである。
【００２５】
周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【図面の簡単な説明】
【００２６】
本発明の実施例の構成をもっと詳しく説明するために、以下、実施例の説明に必要な図面を簡単に説明する。当然ながら、以下に記載の図面は、ただ、本発明の実施例の幾つかの例であり、当業者が創造的労働をせずにこれらに基づいて他の図面を得ることができるものである。
【００２７】
【図１】本発明の実施例１によって提供する例示的な情報取得方法を示すフローチャートである。
【図２】本発明の実施例２によって提供する例示的な情報取得方法を示すフローチャートである。
【図３】本発明の実施例３によって提供する例示的な情報取得方法を示すフローチャートである。
【図４】本発明の実施例３によって提供するユーザが認証情報を選択する時の構成模式図である。
【図５】本発明の実施例４によって提供する情報取得装置の構成を示すブロック図である。
【図６】本発明の実施例５によって提供する情報取得装置の構成を示すブロック図である。
【図７】本発明の実施例６によって提供する情報取得装置の構成を示すブロック図である。
【図８】本発明の実施例７によって提供するスマートカードの内部構成の模式図である。
【図９】本発明の実施例７によって提供するスマートカードの外部構成の模式図である。
【発明を実施するための形態】
【００２８】
以下、本発明の目的、技術案及び利点をさらに明確にするために、以下、図面を参照しながら本発明の実施例をさらに詳しく説明する。当然ながら、記述する実施例は、ただ、本発明の一部の実施例に過ぎず、すべての実施例ではない。当業者が、創造的労働をせずに、本発明の実施例に基づいて得る他の実施例は、全て、本発明が保護する範囲に属する。
【００２９】
実施例１
図１は、本発明の実施例１によって提供する例示的な情報取得方法を示すフローチャートである。当該情報取得方法は、携帯電話等のような端末に適用される。当該情報取得方法は、以下のステップを含む。
【００３０】
ステップ１０１において、周辺デバイスであるスマートカード内に保存された認証情報を読み取る。
【００３１】
ユーザが端末を使用してサービスプロバイダーが提供する各サービスを取得しようとする時に、端末は、まず、周辺デバイスであるスマートカード内に保存された認証情報を読み取ってもよい。ここで、認証情報は、サービスプロバイダーによって提供する権限検証情報を含んでもよい。
【００３２】
ステップ１０２において、読み取った認証情報を端末のメモリ内に保存する。
【００３３】
端末は、スマートカード内の認証情報を読み取った後に、読み取った認証情報を端末のメモリ内に保存してもよい。
【００３４】
ステップ１０３において、メモリ内に保存された認証情報に基づいて該当するサービスを取得する。
【００３５】
上記のように、本実施例によって提供する情報取得方法によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００３６】
実施例２
図２は、本発明の実施例２によって提供する例示的な情報取得方法を示すフローチャートである。当該情報取得方法は、携帯電話等のような端末に適用される。当該情報取得方法は、以下のステップを含む。
【００３７】
ステップ２０１において、周辺デバイスであるスマートカード内に保存された認証情報であって、サービスプロバイダーによって提供する権限検証情報が含まれた認証情報を読み取る。
【００３８】
ユーザが端末を使用してサービスプロバイダーが提供する各サービスを取得しようとする時に、端末は、周辺デバイスであるスマートカード内に保存された認証情報を読み取ってもよい。ここで、認証情報は、サービスプロバイダーによって提供する権限検証情報を含んでもよい。
【００３９】
実際に実現する時に、スマートカード内に保存された認証情報の読み取りを便利にする際に、サービスプロバイダーは、スマートカードを製造する時に、認証情報を予め設定した保存方法によってスマートカード内に保存してもよい。予め設定した保存方法は、ＮＦＣ（Ｎｅａｒ Ｆｉｅｌｄ Ｃｏｍｍｕｎｉｃａｔｉｏｎ、近距離無線通信技術）タグ及び二次元コードの中の少なくとも一つを含んでもよい。即ち、サービスプロバイダーは、スマートカードを、ＮＦＣタグカード、或いは、二次元コードが付加された通常のカードの形式に製造する。しかし、スマートカード内に認証情報を保存する保存方法が互いに異なるから、端末により認証情報を読み取る読取方法も互い異なる。それで、互いに異なる保存方法に応じて、端末により周辺デバイスであるスマートカード内に保存された認証情報を読み取る読取方法は、以下の方法を含んでもよい。
【００４０】
第１に、予め設定した保存方法がＮＦＣタグを含む場合、ＮＦＣ技術によってスマートカード内のＮＦＣタグを読み取ることにより、スマートカード内に保存された認証情報を取得する。
【００４１】
スマートカードを発給するサービスプロバイダーにより、認証情報をＮＦＣタグの形式によってスマートカード内に保存した場合、端末は、ＮＦＣ技術によって、スマートカード内に保存されたＮＦＣタグを、直接、読み取ることにより、スマートカード内に保存された認証情報を取得してもよい。
【００４２】
第２に、予め設定した保存方法が二次元コードを含む場合、二次元コードスキャン技術によって、スマートカード内に保存された二次元コードを読み取ることにより、スマートカード内に保存された認証情報を取得する。
【００４３】
スマートカードを発給するサービスプロバイダーにより、認証情報を二次元コードの形式によってスマートカード内に保存した場合、端末は、二次元コードスキャン技術によって、スマートカード内に保存された二次元コードを読み取ることにより、スマートカード内に保存された認証情報を取得してもよい。
【００４４】
例えば、サービスプロバイダーにより、従来のＳＩＭカード内に保存された情報を一つの二次元コードにコンパイルして、普通のスマートカード内に当該二次元コードを付加させた場合、端末は、スマートカード内の認証情報を読み取る時に、内蔵された二次元コードスキャナを用いて、スマートカード内の二次元コードをスキャンすることにより、スマートカード内に保存された認証情報を取得してもよい。
【００４５】
実際に適用する時に、サービスプロバイダーは、さらに、使用要求に応じて、様々な保存方法を採用して、認証情報をスマートカード内に保存してもよいことを補足説明する必要がある。本実施例では、ただ上記の保存方法の例を挙げただけであり、その具体的な実現方法に対して限定しない。また、スマートカードを発給するサービスプロバイダーにより、さらに、一部の分認証情報を、ＮＦＣタグの形式によってスマートカードに保存し、もう一部の分認証情報を、二次元コードの形式によってスマートカードに保存する場合、端末は、対応するＮＦＣ技術によってスマートカード内のＮＦＣタグを読み取ると同時に、二次元コードスキャン技術によってスマートカード内の二次元コードを読み取ることにより、スマートカード内に保存された全ての認証情報を取得してもよく、本実施例においては、これに対して限定しない。
【００４６】
ステップ２０２において、読み取った認証情報を端末のメモリ内に保存する。
【００４７】
端末が、以後に、読み取った認証情報に基づいて、直接、サービスプロバイダーのサービスを取得するようにして、毎回、使用する度に、スマートカード内の認証情報を読み取らなくてもいいようにするために、端末は、周辺デバイスであるスマートカード内に保存された認証情報を読み取った後に、読み取った認証情報を端末のメモリ内に保存してもよい。
【００４８】
実際に実現する時に、端末により読み取った認証情報を端末のメモリ内に保存するステップは、以下のステップを含む。
【００４９】
第１に、読み取った認証情報を、メモリ内の予め設定した領域に保存する。
【００５０】
端末のメモリ内には、写真やＳＭＳ、連絡帳等の様々な情報を保存する必要があるので、端末がメモリ内の認証情報を直接呼び出すようにするために、また、メモリの中の認証情報を保存する領域とその他の領域との間の関連度を低下するために、端末は、周辺デバイスであるスマートカード内の認証情報を読み取った後に、読み取った認証情報をメモリ内の予め設定した領域に保存してもよい。
【００５１】
第２に、メモリ内の予め設定した領域を、読み取り専用の領域に設定する。
【００５２】
ユーザにより端末のメモリ内に保存された認証情報を削除することを防止するために、端末は、認証情報をメモリ内の予め設定した領域に保存した後に、予め設定した領域を、読み取り専用の領域に設定してもよい。
【００５３】
ステップ２０３において、メモリ内に保存された認証情報に基づいて該当するサービスを取得する。
【００５４】
端末は、読み取った認証情報を端末中のメモリに保存した後に、サービスプロバイダーが提供するサービスを取得しようとする時に、メモリ内に保存された認証情報に基づいて、サービスプロバイダーによる認証を要請して、認証された後に該当するサービスを取得してもよい。
【００５５】
上記のように、本実施例によって提供する情報取得方法によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００５６】
実施例３
図３は、本発明の実施例３によって提供する例示的な情報取得方法を示すフローチャートである、当該情報取得方法は、携帯電話等のような端末に適用される。上記の実施例との差異は、本実施例においては、端末のメモリ内に複数の認証情報を保存して、端末は、ユーザの選択信号に基づいて該当する認証情報を選択することにより、該当するサービスを取得してもよい。当該情報取得方法は、以下のステップを含む。
【００５７】
ステップ３０１において、周辺デバイスであるスマートカード内に保存された認証情報を読み取る。
【００５８】
ユーザが端末を使用してサービスプロバイダーが提供する各サービスを取得しようとする時に、端末は、周辺デバイスであるスマートカード内に保存された認証情報を読み取ってもよい。ここで、認証情報は、サービスプロバイダーによって提供する権限検証情報を含んでもよい。
【００５９】
実際に実現する時に、端末がスマートカード内に保存された認証情報を便利に読み取るようにするために、サービスプロバイダーは、スマートカードを製造する時に、認証情報を予め設定した保存方法によってスマートカード内に保存してもよい。予め設定した保存方法は、ＮＦＣ（Ｎｅａｒ Ｆｉｅｌｄ Ｃｏｍｍｕｎｉｃａｔｉｏｎ、近距離無線通信技術）タグ及び二次元コードの少なくとも一つを含んでもよい。即ち、サービスプロバイダーは、スマートカードを、ＮＦＣタグカード、或いは、二次元コードが付加された通常のカードの形式に製造する。しかし、スマートカード内に認証情報を保存する保存方法が互いに異なるから、端末により認証情報を読み取る読取方法も互い異なる。それで、互いに異なる保存方法に応じて、端末により周辺デバイスであるスマートカード内に保存された認証情報を読み取る読取方法は、以下の方法を含んでもよい。
【００６０】
第１に、予め設定した保存方法がＮＦＣタグを含む場合、ＮＦＣ技術によってスマートカード内のＮＦＣタグを読み取ることにより、スマートカード内に保存された認証情報を取得する。
【００６１】
スマートカードを発給するサービスプロバイダーにより、認証情報をＮＦＣタグの形式によってスマートカード内に保存した場合、端末は、ＮＦＣ技術によって、スマートカード内に保存されたＮＦＣタグを、直接、読み取ることにより、スマートカード内に保存された認証情報を取得してもよい。
【００６２】
第２に、予め設定した保存方法が二次元コードを含む場合、二次元コードスキャン技術によって、スマートカード内に保存された二次元コードを読み取ることにより、スマートカード内に保存された認証情報を取得する。
【００６３】
スマートカードを発給するサービスプロバイダーにより、認証情報を二次元コードの形式によってスマートカード内に保存した場合、端末は、二次元コードスキャン技術によって、スマートカード内に保存された二次元コードを読み取ることにより、スマートカード内に保存された認証情報を取得してもよい。
【００６４】
例えば、サービスプロバイダーにより、従来のＳＩＭカード内に保存された情報を一つの二次元コードにコンパイルして、普通のスマートカード内に当該二次元コードを付加させた場合、端末は、スマートカード内の認証情報を読み取る時に、内蔵された二次元コードスキャナを用いて、スマートカード内の二次元コードをスキャンすることにより、スマートカード内に保存された認証情報を取得してもよい。
【００６５】
実際に適用する時に、サービスプロバイダーは、さらに、使用要求に応じて、様々な保存方法を採用して、認証情報をスマートカード内に保存してもよいことを補足説明する必要がある。本実施例では、ただ上記の保存方法の例を挙げただけであり、その具体的な実現方法に対して限定しない。また、スマートカードを発給するサービスプロバイダーにより、さらに、一部の分認証情報を、ＮＦＣタグの形式によってスマートカードに保存し、もう一部の分認証情報を、二次元コードの形式によってスマートカードに保存するから、端末は、対応するＮＦＣ技術によってスマートカード内のＮＦＣタグを読み取ると同時に、二次元コードスキャン技術によってスマートカード内の二次元コードを読み取ることにより、スマートカード内に保存された全ての認証情報を取得してもよく、本実施例においては、これに対して限定しない。
【００６６】
ステップ３０２において、読み取った認証情報を端末のメモリ内に保存する。
【００６７】
端末が、以後に、読み取った認証情報に基づいて、直接、サービスプロバイダーのサービスを取得するようにして、毎回、使用する度に、スマートカード内の認証情報を読み取らなくてもいいようにするために、端末は、周辺デバイスであるスマートカード内に保存された認証情報を読み取った後に、読み取った認証情報を端末のメモリ内に保存してもよい。
【００６８】
実際に実現する時に、端末により読み取った認証情報を端末のメモリ内に保存するステップは、以下のステップを含む。
【００６９】
第１に、読み取った認証情報を、メモリ内の予め設定した領域に保存する。
【００７０】
端末のメモリ内に大量の情報を保存する必要があるので、端末がメモリ内の認証情報を直接呼び出すようにするために、また、メモリの中の認証情報を保存する領域とその他の領域との間の関連度を低下するために、端末は、周辺デバイスであるスマートカード内の認証情報を読み取った後に、読み取った認証情報をメモリ内の予め設定した領域に保存してもよい。
【００７１】
第２に、メモリ内の予め設定した領域を読み取り専用の領域に設定する。
【００７２】
ユーザにより端末のメモリ内に保存された認証情報を削除することを防止するために、端末は、認証情報をメモリ内の予め設定した領域に保存した後に、予め設定した領域を、読み取り専用の領域に設定してもよい。
【００７３】
ステップ３０３において、前記メモリ内の指定の認証情報を選択するための選択信号を受信する。
【００７４】
実際に適用する時に、ユーザは、使用要求に応じて、複数の認証情報に基づいて、サービスプロバイダーが提供するサービスを取得してもよい。例えば、通話料金を節約するために、ユーザは、新たな都市に出張する場合、当該都市のＳＩＭカードを使用する。即ち、毎回、新たな都市に行く場合、端末は、新たな認証情報を使用してサービスプロバイダーが提供するサービスを取得する。ユーザにより毎回新たな認証情報を要請する時に、端末は、該当する周辺デバイスであるスマートカード内に保存された認証情報を読み取して、読み取った全ての認証情報を端末のメモリ内に保存するから、端末のメモリ内には、二つ或いは二つ以上の認証情報が存在する可能性がある。以後、ユーザの使用を便利にするために、ユーザは、端末に、メモリ内に保存されたある認証情報を使用してサービスプロバイダーのサービスを取得するように要求する時に、メモリ内に保存された対応する認証情報を選択し、これに対して、端末は、メモリ内の指定の認証情報を選択するための選択信号を受信することになる。
【００７５】
例えば、端末のメモリ内に「第１認証情報、第２認証情報及び第３認証情報」の三つの認証情報が保存されていて、その三つの認証情報に対応する都市は、それぞれ「北京、上海及び無錫」とする。ここで、現在、ユーザが無錫に出張している場合、通話料金を節約するために、ユーザは、端末のメモリ内に保存された第３認証情報を選択してサービスプロバイダーが提供するサービスを取得してもよい。それで、この時、ユーザは、端末により提供する選択メニューの中から第３認証情報を選択する。詳細内容は、図４を参照のこと。
【００７６】
端末は、各認証情報をメモリ内に保存する時に、各認証情報にそれぞれ一つのシリアル番号を設定することにより、ユーザは、メモリ内のある認証情報の使用を要請する際に、シリアル番号を選択する方法によって認証情報を選択してもよく、当然ながら、実際に使用する時には、さらに、その他の標記方法を採用してもよく、本実施例においては、これに対して限定しないことを説明する必要がある。
【００７７】
ステップ３０４において、前記選択信号に基づいて前記メモリ内に保存された指定の認証情報を読み取る。
【００７８】
端末は、指定の認証情報を選択するための選択信号を受信した後に、選択信号に基づいて、メモリ内に保存された指定の認証情報を読み取ってもよい。
【００７９】
ステップ３０５において、読み取った認証情報に基づいて、該当するサービスを取得する。
【００８０】
端末は、指定の認証情報を読み取った後に、読み取った認証情報に基づいて、該当するサービスを取得してもよい。例えば、端末は、対応する都市が無錫である第３認証情報を選択するための選択信号を受信した後に、第３認証情報を読み取ることにより、第３認証情報を使用してサービスプロバイダーの認証を要請し、認証された後にサービスプロバイダーが提供する電話の利用、ＳＭＳの送受信、ネットワークのアクセス、等のサービスを取得する。
【００８１】
上記のように、本実施例によって提供する情報取得方法によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。同時に、本実施例において、複数の認証情報を端末のメモリ内に同時に保存することにより、端末は、ユーザが要求する認証情報を選択し、当該認証情報を用いてサービスプロバイダーのサービスを取得することにより、ユーザは、認証情報の変更を要求する時に、元のＳＩＭカードを抜いて新たなＳＩＭカードを挿入するような複雑な操作を行う必要がなく、端末の中で対応する認証情報を選択するだけでよいので、ユーザの使用を便利にした。
【００８２】
実施例４
図５は、本発明の実施例４によって提供する情報取得装置の構成を示すブロック図である、当該情報取得装置は、携帯電話、等のような端末の一部、或いは、全部を実現できる。当該情報取得装置は、情報読取モジュール４１０、情報保存モジュール４２０及びサービス取得モジュール４３０を備えてもよい。
【００８３】
情報読取モジュール４１０は、周辺デバイスであるスマートカード内に保存された認証情報であって、サービスプロバイダーによって提供する権限検証情報が含まれた認証情報を読み取る。
【００８４】
情報保存モジュール４２０は、前記情報読取モジュール４１０により読み取った前記認証情報を前記端末のメモリ内に保存する。
【００８５】
サービス取得モジュール４３０は、前記メモリ内に保存された前記認証情報に基づいて、該当するサービスを取得する。
【００８６】
上記のように、本実施例によって提供する情報取得装置によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００８７】
実施例５
図６は、本発明の実施例５によって提供する情報取得装置の構成を示すブロック図である、当該情報取得装置は、携帯電話、等のような端末の一部、又は、全部を実現できる。当該情報取得装置は、情報読取モジュール４１０、情報保存モジュール４２０及びサービス取得モジュール４３０を備えてもよい。
【００８８】
情報読取モジュール４１０は、周辺デバイスであるスマートカード内に保存された認証情報であって、サービスプロバイダーによって提供する権限検証情報が含まれた認証情報を読み取る。
【００８９】
情報保存モジュール４２０は、前記情報読取モジュール４１０が読み取った前記認証情報を、前記端末のメモリ内に保存する。
【００９０】
サービス取得モジュール４３０は、前記メモリ内に保存された前記認証情報に基づいて、該当するサービスを取得する。
【００９１】
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【００９２】
前記情報読取モジュール４１０は、第１読取ユニット４１２、及び／或いは、第２読取ユニット４１４を含んでもよい。
【００９３】
前記第１読取ユニット４１２は、前記予め設定した保存方法が前記ＮＦＣタグを含む場合、ＮＦＣ技術によって前記スマートカード内のＮＦＣタグを読み取ることにより、前記スマートカード内に保存した前記認証情報を取得する。
【００９４】
前記第２読取ユニット４１４は、前記予め設定した保存方法が二次元コードを含む場合、二次元コードスキャン技術によって前記スマートカード内の二次元コードを読み取ることにより、前記スマートカード内に保存した前記認証情報を取得する。
【００９５】
前記情報保存モジュール４２０は、情報保存ユニット４２２及び領域設定ユニット４２４を含んでもよい。
【００９６】
情報保存ユニット４２２は、読み取った前記認証情報を前記メモリ内の予め設定した領域に保存する。
【００９７】
領域設定ユニット４２４は、前記メモリ内の予め設定した領域を、読み取り専用の領域に設定する。
【００９８】
上記のように、本実施例によって提供する情報取得装置によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００９９】
実施例６
図７は、本発明の実施例６によって提供する情報取得装置の構成を示すブロック図である。当該情報取得装置は、携帯電話、等のような端末の中の一部、又は、全部を実現できる。当該情報取得装置は、情報読取モジュール４１０、情報保存モジュール４２０及びサービス取得モジュール４３０を備えてもよい。
【０１００】
情報読取モジュール４１０は、周辺デバイスであるスマートカード内に保存された認証情報であって、サービスプロバイダーによって提供する権限検証情報が含まれた認証情報を読み取る。
【０１０１】
情報保存モジュール４２０は、前記情報読取モジュール４１０読み取った前記認証情報を、前記端末のメモリ内に保存する。
【０１０２】
サービス取得モジュール４３０は、前記メモリ内に保存された前記認証情報に基づいて、該当するサービスを取得する。
【０１０３】
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【０１０４】
前記情報読取モジュール４１０は、第１読取ユニット４１２、及び／或いは、第２読取ユニット４１４を備えてもよい。
【０１０５】
前記第１読取ユニット４１２は、前記予め設定した保存方法が前記ＮＦＣタグを含む場合、ＮＦＣ技術によって前記スマートカード内のＮＦＣタグを読み取ることにより、前記スマートカード内に保存した前記認証情報を取得する。
【０１０６】
前記第２読取ユニット４１４は、前記予め設定した保存方法が二次元コードを含む場合、二次元コードスキャン技術によって前記スマートカード内の二次元コードを読み取ることにより、前記スマートカード内に保存した前記認証情報を取得する。
【０１０７】
前記端末のメモリ内に保存された前記認証情報が二つ或いは二つ以上である場合には、前記情報取得装置は、信号受信モジュール４４０をさらに備えてもよい。
【０１０８】
信号受信モジュール４４０は、前記メモリ内の指定の認証情報を選択するための選択信号を受信する。
【０１０９】
前記サービス取得モジュール４３０は、情報取得ユニット４３２及びサービス取得ユニット４３４を備えてもよい。
【０１１０】
情報取得ユニット４３２は、前記信号受信モジュールが受信した前記選択信号に基づいて前記メモリ内に保存された指定の認証情報を読み取る。
【０１１１】
サービス取得ユニット４３４は、前記情報読取ユニット読み取った前記認証情報に基づいて該当するサービスを取得する。
【０１１２】
例えば、前記情報保存モジュール４２０は、情報保存ユニット４２２及び領域設定ユニット４２４を備えてもよい。
【０１１３】
情報保存ユニット４２２は、読み取った前記認証情報を、前記メモリ内の予め設定した領域に保存する。
【０１１４】
領域設定ユニット４２４は、前記メモリ内の予め設定した領域を読み取り専用の領域に設定する。
【０１１５】
上記のように、本実施例によって提供する情報取得装置によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。同時に、本実施例において、複数の認証情報を端末のメモリ内に同時に保存することにより、端末は、ユーザが要求する認証情報を選択し、当該認証情報を用いてサービスプロバイダーのサービスを取得することにより、ユーザは、認証情報の変更を要求する時に、元のＳＩＭカードを抜いて新たなＳＩＭカードを挿入するような複雑な操作を行う必要がなく、端末の中で対応する認証情報を選択するだけでよいので、ユーザの使用を便利にした。
【０１１６】
実施例７
本発明の実施例７は、スマートカードを提供する。当該スマートカードは、ＮＦＣ技術によるチップを備えるか、及び／或いは、二次元コードが付加されており、前記ＮＦＣチップ、及び／或いは、前記二次元コード内に、認証情報が保存されており、前記認証情報には、サービスプロバイダーによって提供する権限検証情報が含まれる。
【０１１７】
実際に実現する時に、スマートカードには、ＮＦＣ技術によるチップが含まれていると同時に、二次元コードが付加されていてもよい。その内部の構成の模式図は、図８を参照のこと。外部の構成は、図９を参照のこと。当然ながら、スマートカードには、ＮＦＣ技術によるチップだけ含まれているか、或いは、二次元コードだけ付加されていてもよく、本実施例においては、これに対して限定しない。
【０１１８】
実際に実現する時に、スマートカードは、ユーザの要求に応じて、任意の可能な形状に製造してもよく、本実施例においては、円盤状のスマートカードの例を挙げたが、その実際の形状に対しては、限定しないことを補足説明する必要がある。
【０１１９】
上記のように、本実施例によって提供するスマートカードによると、ＮＦＣ対応のチップ及び二次元コードの何れかに、或いは、ＮＦＣ技術対応のチップと二次元コードの両方に、認証情報を保存して、端末が、スマートカード内に保存された認証情報を読み取って、読み取った認証情報を端末中に保存することにより、背景技術にて端末にＳＩＭカードを挿入するためのＳＩＭカードデッキを予め用意するため、電子部品同士の間の結合度が大きく、端末の電磁適合性が悪いという問題を解決した。
【０１２０】
上記の実施例によって提供する情報取得装置が情報を取得する時に、上記の各機能モジュールに割り当てて行う例を挙げて説明したが、実際の適用においては、要求に応じて上記の機能を互いに異なる機能モジュールに割り当てて完成させてもよく、即ち、デバイスの内部構成を互いに異なる機能モジュールに割り当てて、上記に記載の全ての機能或いは一部の機能を完成させてもよいことを説明する必要がある。また、上記の実施例によって提供する情報取得装置の実施例と、情報取得方法の実施例とは同一の思想に属し、その具体的な形態は当該方法に関する実施例において詳細に説明したため、ここでは詳細に説明しない。
【０１２１】
上記の本発明に係る実施例の番号は、ただ、記述するためのものであり、実施例の優劣を代表しない。
【０１２２】
当業者は、ハードウェアによって上記実施例を実現するステップの全体又はその一部を実行してもよいし、プログラムにより関連するハードウェアを指定して実行するようにしてもよいし、上記プログラムを不揮発性の読取可能である記憶媒体に記憶させてもよいし、以上に言及した記憶媒体としては、リードオンリーメモリ、磁気ディスク又は光ディスク等が挙げられると、理解するべきである。
【０１２３】
上述の内容は本発明の比較的適切な実施例に過ぎず、本発明を制限するものではなく、本発明の主旨及び原則内で行う如何なる修正や、同等の置換、改善等は本発明の保護範囲内に含まれる。
【図１】
2015537477.tif 000003
【図２】
2015537477.tif 000004
【図３】
2015537477.tif 000005
【図４】
2015537477.tif 000006
【図５】
2015537477.tif 000007
【図６】
2015537477.tif 000008
【図７】
2015537477.tif 000009
【図８】
2015537477.tif 000010
【図９】
2015537477.tif 000011
【手続補正書】
【提出日】平成27年5月26日(2015.5.26)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１３１０１３１９７６.８であって、出願日が２０１３年４月１６日である中国特許出願に基づいて優先権を主張し、当該中国特許出願のすべての内容を援用する。
【技術分野】
【０００２】
本発明は、移動通信技術分野に関し、特に、情報取得方法、装置、端末、プログラム及び記録媒体に関する。
【背景技術】
【０００３】
携帯電話等のようなインテリジェント端末は、もはや人々の日常生活の中で必須の生活用品になった。しかしながら、ユーザが端末を用いてサービスプロバイダーが提供するサービスを取得する際に、まず、端末を利用してサービスプロバイダーが提供する認証情報を取得する必要があり、認証情報を用いて、サービスプロバイダーにより認証された後に、関連サービスを取得する。
【０００４】
ここで、サービスプロバイダーが提供する認証情報は、主に、ネットワークに登録するための権限検証情報であり、また、権限検証情報は一般的にＳＩＭカード（ＳｕｂｓｃｒｉｂｅｒＩｄｅｎｔｉｔｙ Ｍｏｄｕｌｅ、加入者識別モジュール）内に保存されている。現在、通常の認証情報取得方法は、ＳＩＭカードを用いてサービスプロバイダーが提供する認証情報を保存し、また、ＳＩＭカードのために一つのＳＩＭカードデッキを端末中に予め用意し、ユーザは、端末を用いてサービスプロバイダーが提供するサービスを取得しようとする時に、予め用意したＳＩＭカードデッキ内にＳＩＭカードを挿入して、端末によりＳＩＭカード内に保存した認証情報を読み取った後に、認証情報を用いてネットワークに登録することにより、サービスプロバイダーが提供する各サービスを取得する。
【０００５】
発明者は、本発明を実現する過程において、上記の方法には少なくとも以下の問題が存在することを発見した。
【０００６】
端末においてＳＩＭカードのためにＳＩＭカードデッキを予め用意する必要があるが、ＳＩＭカードデッキは端末回路基板中の一定の空間を占用するため、限られた回路基板空間中にもっと多い電子部品を集積することができなくなって、端末の機能拡張が制限され、また、ＳＩＭカードデッキが回路基板中の一定の空間を占用するため、限られた空間内の他の電子部品同士の間の距離がもっと小さくなって、電子部品同士の間の電磁結合度がもっと大きくなり、端末の電磁適合性が悪くなってしまう。同時に、ＳＩＭカードデッキの配置も、端末のサイズと厚さを増加させて、端末の極薄化と小型化を制限する。
【発明の概要】
【０００７】
背景技術での端末が提供する情報取得方法によって端末の機能拡張が制限され、端末の極薄化と小型化を制限されてしまう問題を解決するために、本発明の実施例は、情報取得方法、装置、端末、プログラム及び記録媒体を提供する。上記の技術案は、以下のとおりである。
【０００８】
本発明の実施例に係る第１の態様によると、情報取得方法を提供する。
【０００９】
前記情報取得方法は、
周辺デバイスであるスマートカード内に保存された認証情報であって、サービスプロバイダーによって提供する権限検証情報が含まれた認証情報を読み取るステップと、
読み取った前記認証情報を前記端末のメモリ内に保存するステップと、
前記メモリ内に保存された前記認証情報に基づいて、該当するサービスを取得するステップと
を含む。
【００１０】
好ましくは、
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【００１１】
好ましくは、
周辺デバイスであるスマートカード内に保存された認証情報を読み取る前記ステップは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するステップと、
前記予め設定した保存方法が二次元コードを含む場合、二次元コードスキャン技術によって前記スマートカード内の二次元コードを読み取ることにより、前記スマートカード内に保存した前記認証情報を取得するステップと
を含む
【００１２】
好ましくは、
前記情報取得方法は、
前記端末のメモリ内に保存された前記認証情報が二つ或いは二つ以上である場合には、前記メモリ内に保存された前記認証情報に基づいて、該当するサービスを取得するステップの前に、
前記メモリ内の指定の認証情報を選択するための選択信号を受信するステップをさらに含み、
前記メモリ内に保存された前記認証情報に基づいて、該当するサービスを取得するステップは、
前記選択信号に基づいて前記メモリ内に保存された指定の認証情報を読み取るステップと、
読み取った前記認証情報に基づいて該当するサービスを取得するステップと
を含む。
【００１３】
好ましくは、
読み取った前記認証情報を前記端末のメモリ内に保存する前記ステップは、
読み取った前記認証情報を前記メモリ内の予め設定した領域に保存するステップと、
前記メモリ内の予め設定した領域を読み取り専用の領域に設定するステップと
を含む。
【００１４】
本発明の実施例に係る第２の態様によると、情報取得装置を提供する。
【００１５】
前記情報取得装置は、
周辺デバイスであるスマートカード内に保存された認証情報であって、サービスプロバイダーによって提供する権限検証情報が含まれた認証情報を読み取るための情報読取モジュールと、
前記情報読取モジュールが読み取った前記認証情報を前記端末のメモリ内に保存するための情報保存モジュールと、
前記メモリ内に保存された前記認証情報に基づいて、該当するサービスを取得するためのサービス取得モジュールと
を備える。
【００１６】
好ましくは、
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【００１７】
好ましくは、
前記情報読取モジュールは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するための第１読取ユニット、
及び／或いは、
前記予め設定した保存方法が二次元コードを含む場合、二次元コードスキャン技術によって前記スマートカード内の二次元コードを読み取ることにより、前記スマートカード内に保存した前記認証情報を取得するための前記第２読取ユニット
を備える。
【００１８】
好ましくは、
前記装置は、
前記端末のメモリ内に保存された前記認証情報が二つ或いは二つ以上である場合には、
前記メモリ内の指定の認証情報を選択するための選択信号を受信するための信号受信モジュール
をさらに備え、
前記サービス取得モジュールは、
前記信号受信モジュールが受信した前記選択信号に基づいて前記メモリ内に保存された指定の認証情報を読み取るための情報取得ユニットと、
前記情報読取ユニット読み取った前記認証情報に基づいて該当するサービスを取得するためのサービス取得ユニットと
を備える。
【００１９】
好ましくは、
前記情報保存モジュールは、
読み取った前記認証情報を前記メモリ内の予め設定した領域に保存するための情報保存ユニットと、
前記メモリ内の予め設定した領域を読み取り専用の領域に設定するための領域設定ユニットと
を備える。
【００２０】
本発明の実施例に係る第３の態様によると、端末を提供する。
【００２１】
前記端末は、上記の情報取得装置を備える。
【００２２】
本発明の実施例に係る第４の態様によると、スマートカードを提供する。
【００２３】
スマートカードには、前記スマートカードＮＦＣ技術によるチップを備えるか、及び／或いは、二次元コードが付加されており、前記ＮＦＣチップ、及び／或いは、前記二次元コード内に、認証情報が保存されており、前記認証情報には、サービスプロバイダーによって提供する権限検証情報が含まれる。
【００２４】
本発明の実施例に係る第５態様によると、プロセッサに実行されることにより、上記の情報取得方法を実現するプログラムを提供する。
【００２５】
本発明の実施例に係る第６態様によると、上記プログラムが記録された記録媒体を提供する。
【００２６】
本発明の実施例が提供する構成の有益な効果は以下のとおりである。
【００２７】
周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【図面の簡単な説明】
【００２８】
本発明の実施例の構成をもっと詳しく説明するために、以下、実施例の説明に必要な図面を簡単に説明する。当然ながら、以下に記載の図面は、ただ、本発明の実施例の幾つかの例であり、当業者が創造的労働をせずにこれらに基づいて他の図面を得ることができるものである。
【００２９】
【図１】本発明の実施例１によって提供する例示的な情報取得方法を示すフローチャートである。
【図２】本発明の実施例２によって提供する例示的な情報取得方法を示すフローチャートである。
【図３】本発明の実施例３によって提供する例示的な情報取得方法を示すフローチャートである。
【図４】本発明の実施例３によって提供するユーザが認証情報を選択する時の構成模式図である。
【図５】本発明の実施例４によって提供する情報取得装置の構成を示すブロック図である。
【図６】本発明の実施例５によって提供する情報取得装置の構成を示すブロック図である。
【図７】本発明の実施例６によって提供する情報取得装置の構成を示すブロック図である。
【図８】本発明の実施例７によって提供するスマートカードの内部構成の模式図である。
【図９】本発明の実施例７によって提供するスマートカードの外部構成の模式図である。
【発明を実施するための形態】
【００３０】
以下、本発明の目的、技術案及び利点をさらに明確にするために、以下、図面を参照しながら本発明の実施例をさらに詳しく説明する。当然ながら、記述する実施例は、ただ、本発明の一部の実施例に過ぎず、すべての実施例ではない。当業者が、創造的労働をせずに、本発明の実施例に基づいて得る他の実施例は、全て、本発明が保護する範囲に属する。
【００３１】
実施例１
図１は、本発明の実施例１によって提供する例示的な情報取得方法を示すフローチャートである。当該情報取得方法は、携帯電話等のような端末に適用される。当該情報取得方法は、以下のステップを含む。
【００３２】
ステップ１０１において、周辺デバイスであるスマートカード内に保存された認証情報を読み取る。
【００３３】
ユーザが端末を使用してサービスプロバイダーが提供する各サービスを取得しようとする時に、端末は、まず、周辺デバイスであるスマートカード内に保存された認証情報を読み取ってもよい。ここで、認証情報は、サービスプロバイダーによって提供する権限検証情報を含んでもよい。
【００３４】
ステップ１０２において、読み取った認証情報を端末のメモリ内に保存する。
【００３５】
端末は、スマートカード内の認証情報を読み取った後に、読み取った認証情報を端末のメモリ内に保存してもよい。
【００３６】
ステップ１０３において、メモリ内に保存された認証情報に基づいて該当するサービスを取得する。
【００３７】
上記のように、本実施例によって提供する情報取得方法によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００３８】
実施例２
図２は、本発明の実施例２によって提供する例示的な情報取得方法を示すフローチャートである。当該情報取得方法は、携帯電話等のような端末に適用される。当該情報取得方法は、以下のステップを含む。
【００３９】
ステップ２０１において、周辺デバイスであるスマートカード内に保存された認証情報であって、サービスプロバイダーによって提供する権限検証情報が含まれた認証情報を読み取る。
【００４０】
ユーザが端末を使用してサービスプロバイダーが提供する各サービスを取得しようとする時に、端末は、周辺デバイスであるスマートカード内に保存された認証情報を読み取ってもよい。ここで、認証情報は、サービスプロバイダーによって提供する権限検証情報を含んでもよい。
【００４１】
実際に実現する時に、スマートカード内に保存された認証情報の読み取りを便利にする際に、サービスプロバイダーは、スマートカードを製造する時に、認証情報を予め設定した保存方法によってスマートカード内に保存してもよい。予め設定した保存方法は、ＮＦＣ（ＮｅａｒＦｉｅｌｄ Ｃｏｍｍｕｎｉｃａｔｉｏｎ、近距離無線通信技術）タグ及び二次元コードの中の少なくとも一つを含んでもよい。即ち、サービスプロバイダーは、スマートカードを、ＮＦＣタグカード、或いは、二次元コードが付加された通常のカードの形式に製造する。しかし、スマートカード内に認証情報を保存する保存方法が互いに異なるから、端末により認証情報を読み取る読取方法も互い異なる。それで、互いに異なる保存方法に応じて、端末により周辺デバイスであるスマートカード内に保存された認証情報を読み取る読取方法は、以下の方法を含んでもよい。
【００４２】
第１に、予め設定した保存方法がＮＦＣタグを含む場合、ＮＦＣ技術によってスマートカード内のＮＦＣタグを読み取ることにより、スマートカード内に保存された認証情報を取得する。
【００４３】
スマートカードを発給するサービスプロバイダーにより、認証情報をＮＦＣタグの形式によってスマートカード内に保存した場合、端末は、ＮＦＣ技術によって、スマートカード内に保存されたＮＦＣタグを、直接、読み取ることにより、スマートカード内に保存された認証情報を取得してもよい。
【００４４】
第２に、予め設定した保存方法が二次元コードを含む場合、二次元コードスキャン技術によって、スマートカード内に保存された二次元コードを読み取ることにより、スマートカード内に保存された認証情報を取得する。
【００４５】
スマートカードを発給するサービスプロバイダーにより、認証情報を二次元コードの形式によってスマートカード内に保存した場合、端末は、二次元コードスキャン技術によって、スマートカード内に保存された二次元コードを読み取ることにより、スマートカード内に保存された認証情報を取得してもよい。
【００４６】
例えば、サービスプロバイダーにより、従来のＳＩＭカード内に保存された情報を一つの二次元コードにコンパイルして、普通のスマートカード内に当該二次元コードを付加させた場合、端末は、スマートカード内の認証情報を読み取る時に、内蔵された二次元コードスキャナを用いて、スマートカード内の二次元コードをスキャンすることにより、スマートカード内に保存された認証情報を取得してもよい。
【００４７】
実際に適用する時に、サービスプロバイダーは、さらに、使用要求に応じて、様々な保存方法を採用して、認証情報をスマートカード内に保存してもよいことを補足説明する必要がある。本実施例では、ただ上記の保存方法の例を挙げただけであり、その具体的な実現方法に対して限定しない。また、スマートカードを発給するサービスプロバイダーにより、さらに、一部の分認証情報を、ＮＦＣタグの形式によってスマートカードに保存し、もう一部の分認証情報を、二次元コードの形式によってスマートカードに保存する場合、端末は、対応するＮＦＣ技術によってスマートカード内のＮＦＣタグを読み取ると同時に、二次元コードスキャン技術によってスマートカード内の二次元コードを読み取ることにより、スマートカード内に保存された全ての認証情報を取得してもよく、本実施例においては、これに対して限定しない。
【００４８】
ステップ２０２において、読み取った認証情報を端末のメモリ内に保存する。
【００４９】
端末が、以後に、読み取った認証情報に基づいて、直接、サービスプロバイダーのサービスを取得するようにして、毎回、使用する度に、スマートカード内の認証情報を読み取らなくてもいいようにするために、端末は、周辺デバイスであるスマートカード内に保存された認証情報を読み取った後に、読み取った認証情報を端末のメモリ内に保存してもよい。
【００５０】
実際に実現する時に、端末により読み取った認証情報を端末のメモリ内に保存するステップは、以下のステップを含む。
【００５１】
第１に、読み取った認証情報を、メモリ内の予め設定した領域に保存する。
【００５２】
端末のメモリ内には、写真やＳＭＳ、連絡帳等の様々な情報を保存する必要があるので、端末がメモリ内の認証情報を直接呼び出すようにするために、また、メモリの中の認証情報を保存する領域とその他の領域との間の関連度を低下するために、端末は、周辺デバイスであるスマートカード内の認証情報を読み取った後に、読み取った認証情報をメモリ内の予め設定した領域に保存してもよい。
【００５３】
第２に、メモリ内の予め設定した領域を、読み取り専用の領域に設定する。
【００５４】
ユーザにより端末のメモリ内に保存された認証情報を削除することを防止するために、端末は、認証情報をメモリ内の予め設定した領域に保存した後に、予め設定した領域を、読み取り専用の領域に設定してもよい。
【００５５】
ステップ２０３において、メモリ内に保存された認証情報に基づいて該当するサービスを取得する。
【００５６】
端末は、読み取った認証情報を端末中のメモリに保存した後に、サービスプロバイダーが提供するサービスを取得しようとする時に、メモリ内に保存された認証情報に基づいて、サービスプロバイダーによる認証を要請して、認証された後に該当するサービスを取得してもよい。
【００５７】
上記のように、本実施例によって提供する情報取得方法によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００５８】
実施例３
図３は、本発明の実施例３によって提供する例示的な情報取得方法を示すフローチャートである、当該情報取得方法は、携帯電話等のような端末に適用される。上記の実施例との差異は、本実施例においては、端末のメモリ内に複数の認証情報を保存して、端末は、ユーザの選択信号に基づいて該当する認証情報を選択することにより、該当するサービスを取得してもよい。当該情報取得方法は、以下のステップを含む。
【００５９】
ステップ３０１において、周辺デバイスであるスマートカード内に保存された認証情報を読み取る。
【００６０】
ユーザが端末を使用してサービスプロバイダーが提供する各サービスを取得しようとする時に、端末は、周辺デバイスであるスマートカード内に保存された認証情報を読み取ってもよい。ここで、認証情報は、サービスプロバイダーによって提供する権限検証情報を含んでもよい。
【００６１】
実際に実現する時に、端末がスマートカード内に保存された認証情報を便利に読み取るようにするために、サービスプロバイダーは、スマートカードを製造する時に、認証情報を予め設定した保存方法によってスマートカード内に保存してもよい。予め設定した保存方法は、ＮＦＣ（ＮｅａｒＦｉｅｌｄ Ｃｏｍｍｕｎｉｃａｔｉｏｎ、近距離無線通信技術）タグ及び二次元コードの少なくとも一つを含んでもよい。即ち、サービスプロバイダーは、スマートカードを、ＮＦＣタグカード、或いは、二次元コードが付加された通常のカードの形式に製造する。しかし、スマートカード内に認証情報を保存する保存方法が互いに異なるから、端末により認証情報を読み取る読取方法も互い異なる。それで、互いに異なる保存方法に応じて、端末により周辺デバイスであるスマートカード内に保存された認証情報を読み取る読取方法は、以下の方法を含んでもよい。
【００６２】
第１に、予め設定した保存方法がＮＦＣタグを含む場合、ＮＦＣ技術によってスマートカード内のＮＦＣタグを読み取ることにより、スマートカード内に保存された認証情報を取得する。
【００６３】
スマートカードを発給するサービスプロバイダーにより、認証情報をＮＦＣタグの形式によってスマートカード内に保存した場合、端末は、ＮＦＣ技術によって、スマートカード内に保存されたＮＦＣタグを、直接、読み取ることにより、スマートカード内に保存された認証情報を取得してもよい。
【００６４】
第２に、予め設定した保存方法が二次元コードを含む場合、二次元コードスキャン技術によって、スマートカード内に保存された二次元コードを読み取ることにより、スマートカード内に保存された認証情報を取得する。
【００６５】
スマートカードを発給するサービスプロバイダーにより、認証情報を二次元コードの形式によってスマートカード内に保存した場合、端末は、二次元コードスキャン技術によって、スマートカード内に保存された二次元コードを読み取ることにより、スマートカード内に保存された認証情報を取得してもよい。
【００６６】
例えば、サービスプロバイダーにより、従来のＳＩＭカード内に保存された情報を一つの二次元コードにコンパイルして、普通のスマートカード内に当該二次元コードを付加させた場合、端末は、スマートカード内の認証情報を読み取る時に、内蔵された二次元コードスキャナを用いて、スマートカード内の二次元コードをスキャンすることにより、スマートカード内に保存された認証情報を取得してもよい。
【００６７】
実際に適用する時に、サービスプロバイダーは、さらに、使用要求に応じて、様々な保存方法を採用して、認証情報をスマートカード内に保存してもよいことを補足説明する必要がある。本実施例では、ただ上記の保存方法の例を挙げただけであり、その具体的な実現方法に対して限定しない。また、スマートカードを発給するサービスプロバイダーにより、さらに、一部の分認証情報を、ＮＦＣタグの形式によってスマートカードに保存し、もう一部の分認証情報を、二次元コードの形式によってスマートカードに保存するから、端末は、対応するＮＦＣ技術によってスマートカード内のＮＦＣタグを読み取ると同時に、二次元コードスキャン技術によってスマートカード内の二次元コードを読み取ることにより、スマートカード内に保存された全ての認証情報を取得してもよく、本実施例においては、これに対して限定しない。
【００６８】
ステップ３０２において、読み取った認証情報を端末のメモリ内に保存する。
【００６９】
端末が、以後に、読み取った認証情報に基づいて、直接、サービスプロバイダーのサービスを取得するようにして、毎回、使用する度に、スマートカード内の認証情報を読み取らなくてもいいようにするために、端末は、周辺デバイスであるスマートカード内に保存された認証情報を読み取った後に、読み取った認証情報を端末のメモリ内に保存してもよい。
【００７０】
実際に実現する時に、端末により読み取った認証情報を端末のメモリ内に保存するステップは、以下のステップを含む。
【００７１】
第１に、読み取った認証情報を、メモリ内の予め設定した領域に保存する。
【００７２】
端末のメモリ内に大量の情報を保存する必要があるので、端末がメモリ内の認証情報を直接呼び出すようにするために、また、メモリの中の認証情報を保存する領域とその他の領域との間の関連度を低下するために、端末は、周辺デバイスであるスマートカード内の認証情報を読み取った後に、読み取った認証情報をメモリ内の予め設定した領域に保存してもよい。
【００７３】
第２に、メモリ内の予め設定した領域を読み取り専用の領域に設定する。
【００７４】
ユーザにより端末のメモリ内に保存された認証情報を削除することを防止するために、端末は、認証情報をメモリ内の予め設定した領域に保存した後に、予め設定した領域を、読み取り専用の領域に設定してもよい。
【００７５】
ステップ３０３において、前記メモリ内の指定の認証情報を選択するための選択信号を受信する。
【００７６】
実際に適用する時に、ユーザは、使用要求に応じて、複数の認証情報に基づいて、サービスプロバイダーが提供するサービスを取得してもよい。例えば、通話料金を節約するために、ユーザは、新たな都市に出張する場合、当該都市のＳＩＭカードを使用する。即ち、毎回、新たな都市に行く場合、端末は、新たな認証情報を使用してサービスプロバイダーが提供するサービスを取得する。ユーザにより毎回新たな認証情報を要請する時に、端末は、該当する周辺デバイスであるスマートカード内に保存された認証情報を読み取して、読み取った全ての認証情報を端末のメモリ内に保存するから、端末のメモリ内には、二つ或いは二つ以上の認証情報が存在する可能性がある。以後、ユーザの使用を便利にするために、ユーザは、端末に、メモリ内に保存されたある認証情報を使用してサービスプロバイダーのサービスを取得するように要求する時に、メモリ内に保存された対応する認証情報を選択し、これに対して、端末は、メモリ内の指定の認証情報を選択するための選択信号を受信することになる。
【００７７】
例えば、端末のメモリ内に「第１認証情報、第２認証情報及び第３認証情報」の三つの認証情報が保存されていて、その三つの認証情報に対応する都市は、それぞれ「北京、上海及び無錫」とする。ここで、現在、ユーザが無錫に出張している場合、通話料金を節約するために、ユーザは、端末のメモリ内に保存された第３認証情報を選択してサービスプロバイダーが提供するサービスを取得してもよい。それで、この時、ユーザは、端末により提供する選択メニューの中から第３認証情報を選択する。詳細内容は、図４を参照のこと。
【００７８】
端末は、各認証情報をメモリ内に保存する時に、各認証情報にそれぞれ一つのシリアル番号を設定することにより、ユーザは、メモリ内のある認証情報の使用を要請する際に、シリアル番号を選択する方法によって認証情報を選択してもよく、当然ながら、実際に使用する時には、さらに、その他の標記方法を採用してもよく、本実施例においては、これに対して限定しないことを説明する必要がある。
【００７９】
ステップ３０４において、前記選択信号に基づいて前記メモリ内に保存された指定の認証情報を読み取る。
【００８０】
端末は、指定の認証情報を選択するための選択信号を受信した後に、選択信号に基づいて、メモリ内に保存された指定の認証情報を読み取ってもよい。
【００８１】
ステップ３０５において、読み取った認証情報に基づいて、該当するサービスを取得する。
【００８２】
端末は、指定の認証情報を読み取った後に、読み取った認証情報に基づいて、該当するサービスを取得してもよい。例えば、端末は、対応する都市が無錫である第３認証情報を選択するための選択信号を受信した後に、第３認証情報を読み取ることにより、第３認証情報を使用してサービスプロバイダーの認証を要請し、認証された後にサービスプロバイダーが提供する電話の利用、ＳＭＳの送受信、ネットワークのアクセス、等のサービスを取得する。
【００８３】
上記のように、本実施例によって提供する情報取得方法によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。同時に、本実施例において、複数の認証情報を端末のメモリ内に同時に保存することにより、端末は、ユーザが要求する認証情報を選択し、当該認証情報を用いてサービスプロバイダーのサービスを取得することにより、ユーザは、認証情報の変更を要求する時に、元のＳＩＭカードを抜いて新たなＳＩＭカードを挿入するような複雑な操作を行う必要がなく、端末の中で対応する認証情報を選択するだけでよいので、ユーザの使用を便利にした。
【００８４】
実施例４
図５は、本発明の実施例４によって提供する情報取得装置の構成を示すブロック図である、当該情報取得装置は、携帯電話、等のような端末の一部、或いは、全部を実現できる。当該情報取得装置は、情報読取モジュール４１０、情報保存モジュール４２０及びサービス取得モジュール４３０を備えてもよい。
【００８５】
情報読取モジュール４１０は、周辺デバイスであるスマートカード内に保存された認証情報であって、サービスプロバイダーによって提供する権限検証情報が含まれた認証情報を読み取る。
【００８６】
情報保存モジュール４２０は、前記情報読取モジュール４１０により読み取った前記認証情報を前記端末のメモリ内に保存する。
【００８７】
サービス取得モジュール４３０は、前記メモリ内に保存された前記認証情報に基づいて、該当するサービスを取得する。
【００８８】
上記のように、本実施例によって提供する情報取得装置によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【００８９】
実施例５
図６は、本発明の実施例５によって提供する情報取得装置の構成を示すブロック図である、当該情報取得装置は、携帯電話、等のような端末の一部、又は、全部を実現できる。当該情報取得装置は、情報読取モジュール４１０、情報保存モジュール４２０及びサービス取得モジュール４３０を備えてもよい。
【００９０】
情報読取モジュール４１０は、周辺デバイスであるスマートカード内に保存された認証情報であって、サービスプロバイダーによって提供する権限検証情報が含まれた認証情報を読み取る。
【００９１】
情報保存モジュール４２０は、前記情報読取モジュール４１０が読み取った前記認証情報を、前記端末のメモリ内に保存する。
【００９２】
サービス取得モジュール４３０は、前記メモリ内に保存された前記認証情報に基づいて、該当するサービスを取得する。
【００９３】
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【００９４】
前記情報読取モジュール４１０は、第１読取ユニット４１２、及び／或いは、第２読取ユニット４１４を含んでもよい。
【００９５】
前記第１読取ユニット４１２は、前記予め設定した保存方法が前記ＮＦＣタグを含む場合、ＮＦＣ技術によって前記スマートカード内のＮＦＣタグを読み取ることにより、前記スマートカード内に保存した前記認証情報を取得する。
【００９６】
前記第２読取ユニット４１４は、前記予め設定した保存方法が二次元コードを含む場合、二次元コードスキャン技術によって前記スマートカード内の二次元コードを読み取ることにより、前記スマートカード内に保存した前記認証情報を取得する。
【００９７】
前記情報保存モジュール４２０は、情報保存ユニット４２２及び領域設定ユニット４２４を含んでもよい。
【００９８】
情報保存ユニット４２２は、読み取った前記認証情報を前記メモリ内の予め設定した領域に保存する。
【００９９】
領域設定ユニット４２４は、前記メモリ内の予め設定した領域を、読み取り専用の領域に設定する。
【０１００】
上記のように、本実施例によって提供する情報取得装置によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。
【０１０１】
実施例６
図７は、本発明の実施例６によって提供する情報取得装置の構成を示すブロック図である。当該情報取得装置は、携帯電話、等のような端末の中の一部、又は、全部を実現できる。当該情報取得装置は、情報読取モジュール４１０、情報保存モジュール４２０及びサービス取得モジュール４３０を備えてもよい。
【０１０２】
情報読取モジュール４１０は、周辺デバイスであるスマートカード内に保存された認証情報であって、サービスプロバイダーによって提供する権限検証情報が含まれた認証情報を読み取る。
【０１０３】
情報保存モジュール４２０は、前記情報読取モジュール４１０読み取った前記認証情報を、前記端末のメモリ内に保存する。
【０１０４】
サービス取得モジュール４３０は、前記メモリ内に保存された前記認証情報に基づいて、該当するサービスを取得する。
【０１０５】
周辺デバイスであるスマートカード内に保存された前記認証情報は、ＮＦＣタグ及び二次元コードの中の少なくとも一つを含む予め設定した保存方法によって、前記スマートカードに保存した認証情報を含む。
【０１０６】
前記情報読取モジュール４１０は、第１読取ユニット４１２、及び／或いは、第２読取ユニット４１４を備えてもよい。
【０１０７】
前記第１読取ユニット４１２は、前記予め設定した保存方法が前記ＮＦＣタグを含む場合、ＮＦＣ技術によって前記スマートカード内のＮＦＣタグを読み取ることにより、前記スマートカード内に保存した前記認証情報を取得する。
【０１０８】
前記第２読取ユニット４１４は、前記予め設定した保存方法が二次元コードを含む場合、二次元コードスキャン技術によって前記スマートカード内の二次元コードを読み取ることにより、前記スマートカード内に保存した前記認証情報を取得する。
【０１０９】
前記端末のメモリ内に保存された前記認証情報が二つ或いは二つ以上である場合には、前記情報取得装置は、信号受信モジュール４４０をさらに備えてもよい。
【０１１０】
信号受信モジュール４４０は、前記メモリ内の指定の認証情報を選択するための選択信号を受信する。
【０１１１】
前記サービス取得モジュール４３０は、情報取得ユニット４３２及びサービス取得ユニット４３４を備えてもよい。
【０１１２】
情報取得ユニット４３２は、前記信号受信モジュールが受信した前記選択信号に基づいて前記メモリ内に保存された指定の認証情報を読み取る。
【０１１３】
サービス取得ユニット４３４は、前記情報読取ユニット読み取った前記認証情報に基づいて該当するサービスを取得する。
【０１１４】
例えば、前記情報保存モジュール４２０は、情報保存ユニット４２２及び領域設定ユニット４２４を備えてもよい。
【０１１５】
情報保存ユニット４２２は、読み取った前記認証情報を、前記メモリ内の予め設定した領域に保存する。
【０１１６】
領域設定ユニット４２４は、前記メモリ内の予め設定した領域を読み取り専用の領域に設定する。
【０１１７】
上記のように、本実施例によって提供する情報取得装置によると、周辺デバイスであるスマートカード内に保存された認証情報を読み取り、読み取った認証情報を端末のメモリ内に保存して、端末のメモリ内に保存された認証情報に基づいて、直接、該当するサービスを取得することにより、背景技術にて端末においてＳＩＭカードのためにＳＩＭカードデッキを予め用意する必要があり、端末が提供する情報取得方法によって端末の機能拡張を制限され、端末の極薄化と小型化を制限されてしまう問題を解決したと同時に、背景技術にて電子部品同士の間の結合度が大きく、端末の電磁適合性が悪いという問題を解決して、端末において限られた回路基板上にもっと多い電子部品を集積して、端末の機能を拡張し、端末の厚さとサイズを減少させる効果を得た。同時に、本実施例において、複数の認証情報を端末のメモリ内に同時に保存することにより、端末は、ユーザが要求する認証情報を選択し、当該認証情報を用いてサービスプロバイダーのサービスを取得することにより、ユーザは、認証情報の変更を要求する時に、元のＳＩＭカードを抜いて新たなＳＩＭカードを挿入するような複雑な操作を行う必要がなく、端末の中で対応する認証情報を選択するだけでよいので、ユーザの使用を便利にした。
【０１１８】
実施例７
本発明の実施例７は、スマートカードを提供する。当該スマートカードは、ＮＦＣ技術によるチップを備えるか、及び／或いは、二次元コードが付加されており、前記ＮＦＣチップ、及び／或いは、前記二次元コード内に、認証情報が保存されており、前記認証情報には、サービスプロバイダーによって提供する権限検証情報が含まれる。
【０１１９】
実際に実現する時に、スマートカードには、ＮＦＣ技術によるチップが含まれていると同時に、二次元コードが付加されていてもよい。その内部の構成の模式図は、図８を参照のこと。外部の構成は、図９を参照のこと。当然ながら、スマートカードには、ＮＦＣ技術によるチップだけ含まれているか、或いは、二次元コードだけ付加されていてもよく、本実施例においては、これに対して限定しない。
【０１２０】
実際に実現する時に、スマートカードは、ユーザの要求に応じて、任意の可能な形状に製造してもよく、本実施例においては、円盤状のスマートカードの例を挙げたが、その実際の形状に対しては、限定しないことを補足説明する必要がある。
【０１２１】
上記のように、本実施例によって提供するスマートカードによると、ＮＦＣ対応のチップ及び二次元コードの何れかに、或いは、ＮＦＣ技術対応のチップと二次元コードの両方に、認証情報を保存して、端末が、スマートカード内に保存された認証情報を読み取って、読み取った認証情報を端末中に保存することにより、背景技術にて端末にＳＩＭカードを挿入するためのＳＩＭカードデッキを予め用意するため、電子部品同士の間の結合度が大きく、端末の電磁適合性が悪いという問題を解決した。
【０１２２】
上記の実施例によって提供する情報取得装置が情報を取得する時に、上記の各機能モジュールに割り当てて行う例を挙げて説明したが、実際の適用においては、要求に応じて上記の機能を互いに異なる機能モジュールに割り当てて完成させてもよく、即ち、デバイスの内部構成を互いに異なる機能モジュールに割り当てて、上記に記載の全ての機能或いは一部の機能を完成させてもよいことを説明する必要がある。また、上記の実施例によって提供する情報取得装置の実施例と、情報取得方法の実施例とは同一の思想に属し、その具体的な形態は当該方法に関する実施例において詳細に説明したため、ここでは詳細に説明しない。
【０１２３】
上記の本発明に係る実施例の番号は、ただ、記述するためのものであり、実施例の優劣を代表しない。
【０１２４】
当業者は、ハードウェアによって上記実施例を実現するステップの全体又はその一部を実行してもよいし、プログラムにより関連するハードウェアを指定して実行するようにしてもよいし、上記プログラムを不揮発性の読取可能である記憶媒体に記憶させてもよいし、以上に言及した記憶媒体としては、リードオンリーメモリ、磁気ディスク又は光ディスク等が挙げられると、理解するべきである。
【０１２５】
上述の内容は本発明の比較的適切な実施例に過ぎず、本発明を制限するものではなく、本発明の主旨及び原則内で行う如何なる修正や、同等の置換、改善等は本発明の保護範囲内に含まれる。
【手続補正２】
【補正対象書類名】特許請求の範囲
【補正対象項目名】全文
【補正方法】変更
【補正の内容】
【特許請求の範囲】
【請求項１】
端末に適用される情報取得方法であって、
周辺デバイスであるスマートカード内に保存された認証情報であって、サービスプロバイダーによって提供する権限検証情報が含まれた認証情報を読み取るステップと、
読み取った前記認証情報を前記端末のメモリ内に保存するステップと、
前記メモリ内に保存された前記認証情報に基づいて、該当するサービスを取得するステップと
を含むことを特徴とする情報取得方法。
【請求項２】
周辺デバイスであるスマートカード内に保存された前記認証情報は、ＮＦＣタグ及び二次元コードの中の少なくとも一つを含む予め設定した保存方法によって、前記スマートカードに保存した認証情報を含む
ことを特徴とする請求項１に記載の情報取得方法。
【請求項３】
周辺デバイスであるスマートカード内に保存された認証情報を読み取る前記ステップは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するステップと、
前記予め設定した保存方法が二次元コードを含む場合、二次元コードスキャン技術によって前記スマートカード内の二次元コードを読み取ることにより、前記スマートカード内に保存した前記認証情報を取得するステップと
を含むことを特徴とする請求項２に記載の情報取得方法。
【請求項４】
前記情報取得方法は、
前記端末のメモリ内に保存された前記認証情報が二つ或いは二つ以上である場合には、前記メモリ内に保存された前記認証情報に基づいて、該当するサービスを取得するステップの前に、
前記メモリ内の指定の認証情報を選択するための選択信号を受信するステップ
をさらに含み、
前記メモリ内に保存された前記認証情報に基づいて、該当するサービスを取得するステップは、
前記選択信号に基づいて前記メモリ内に保存された指定の認証情報を読み取るステップと、
読み取った前記認証情報に基づいて該当するサービスを取得するステップと
を含むことを特徴とする請求項３に記載の情報取得方法。
【請求項５】
読み取った前記認証情報を前記端末のメモリ内に保存する前記ステップは、
読み取った前記認証情報を前記メモリ内の予め設定した領域に保存するステップと、
前記メモリ内の予め設定した領域を読み取り専用の領域に設定するステップと
を含むことを特徴とする請求項１乃至４のいずれかの１項に記載の情報取得方法。
【請求項６】
端末に適用される情報取得装置であって、
周辺デバイスであるスマートカード内に保存された認証情報であって、サービスプロバイダーによって提供する権限検証情報が含まれた認証情報を読み取るための情報読取モジュールと、
前記情報読取モジュールが読み取った前記認証情報を前記端末のメモリ内に保存するための情報保存モジュールと、
前記メモリ内に保存された前記認証情報に基づいて、該当するサービスを取得するためのサービス取得モジュールと
を備えることを特徴とする情報取得装置。
【請求項７】
周辺デバイスであるスマートカード内に保存された前記認証情報は、ＮＦＣタグ及び二次元コードの中の少なくとも一つを含む予め設定した保存方法によって、前記スマートカードに保存した認証情報を含む
ことを特徴とする請求項６に記載の情報取得装置。
【請求項８】
前記情報読取モジュールは、
前記予め設定した保存方法が前記ＮＦＣタグを含む場合、ＮＦＣ技術によって前記スマートカード内のＮＦＣタグを読み取ることにより、前記スマートカード内に保存した前記認証情報を取得するための第１読取ユニット、
及び／或いは、
前記予め設定した保存方法が二次元コードを含む場合、二次元コードスキャン技術によって前記スマートカード内の二次元コードを読み取ることにより、前記スマートカード内に保存した前記認証情報を取得するための前記第２読取ユニット
を備えることを特徴とする請求項７に記載の情報取得装置。
【請求項９】
前記情報取得装置は、
前記端末のメモリ内に保存された前記認証情報が二つ或いは二つ以上である場合には、
前記メモリ内の指定の認証情報を選択するための選択信号を受信するための信号受信モジュール
をさらに備え、
前記サービス取得モジュールは、
前記信号受信モジュールが受信した前記選択信号に基づいて前記メモリ内に保存された指定の認証情報を読み取るための情報取得ユニットと、
前記情報読取ユニット読み取った前記認証情報に基づいて該当するサービスを取得するためのサービス取得ユニットと
を備えることを特徴とする請求項８に記載の情報取得装置。
【請求項１０】
前記情報保存モジュールは、
読み取った前記認証情報を前記メモリ内の予め設定した領域に保存するための情報保存ユニットと、
前記メモリ内の予め設定した領域を読み取り専用の領域に設定するための領域設定ユニットと
を備えることを特徴とする請求項６乃至９のいずれかの１項に記載の情報取得装置。
【請求項１１】
請求項５乃至１０のいずれかの１項に記載の情報取得装置を備える
ことを特徴とする端末。
【請求項１２】
ＮＦＣ技術によるチップを備えるか、及び／或いは、二次元コードが付加されており、
前記ＮＦＣチップ、及び／或いは、前記二次元コード内に、認証情報が保存されており、
前記認証情報には、サービスプロバイダーによって提供する権限検証情報が含まれる
ことを特徴とするスマートカード。 
【請求項１３】
プロセッサに実行されることにより、請求項１から請求項５のいずれかに記載の情報取得方法を実現することを特徴とするプログラム。
【請求項１４】
請求項１３に記載のプログラムが記録された記録媒体。
【国際調査報告】
2015537477.tif 000012
2015537477.tif 000013
2015537477.tif 000014
2015537477.tif 000015